【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
判別を実行する判別手段と、
その判別手段の判別結果を示すための、少なくとも複数の図柄列からなる識別情報が表示される表示手段と、
その表示手段に、前記識別情報を動的表示させる動的表示手段と、
その動的表示手段により動的表示される前記識別情報を停止表示させる識別態様として、前記判別手段の判別結果が特定の判別結果である場合に特定の識別態様で停止表示させる停止表示手段と、を有した遊技機において、
前記動的表示手段により前記識別情報を動的表示させてから、前記停止表示手段により前記識別情報を停止表示させるまでの間に、前記複数の図柄列のうち、１つの図柄列を除く他の図柄列が前記特定の識別態様の一部を示す態様で表示されるリーチ表示態様と、そのリーチ表示態様とは異なる非リーチ表示態様との何れかを表示させる表示制御手段と、
その表示制御手段により前記非リーチ表示態様が表示された場合に、一の図柄列に表示された図柄と、他の図柄列に表示された図柄とに関連する特定演出表示を表示させることが可能な演出表示手段と、
その演出表示手段により表示された前記特定演出表示の内容が所定条件を満たした場合に、前記表示制御手段により前記リーチ表示態様を表示させる特典付与手段と、を有し、
前記特定の識別態様には、停止表示された場合に第１特典が遊技者に付与されることを示唆する特定の第１識別態様と、前記第１特典よりも遊技者に有利となる第２特典が遊技者に付与されることを示唆する特定の第２識別態様とを含む複数の種別が設定されており、
前記特定演出表示が表示される前記非リーチ表示態様として、前記一の図柄列に前記特定の第１識別態様の一部を構成する前記図柄の種別または前記特定の第２識別態様の一部を構成する前記図柄の種別を表示させることが可能に構成されており、
前記特定演出表示は、前記所定条件を満たした場合に、前記一の図柄列に表示されている前記図柄に応じた前記特定の識別態様の種別に対応した前記リーチ表示態様を表示させることを示唆する演出が含まれているものであり、
前記特定演出表示は、前記非リーチ表示態様が表示された後に前記表示手段に表示される表示態様が表示条件を満たした場合に前記演出表示手段により表示されるものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００１
【補正方法】変更
【補正の内容】
【０００１】
本発明は、パチンコ機等に代表される遊技機に関するものである。
【手続補正３】
【補正対象書類名】明細書
【補正対象項目名】０００２
【補正方法】変更
【補正の内容】
【０００２】
従来より、始動口への遊技球の入賞に伴って抽選を行い、その抽選結果に応じた変動演出や当たり演出を、液晶画面上に表示するパチンコ機等が知られている。かかる演出では、遊技者に期待感を持たせるための演出や、遊技者の遊技への参加意欲を高めるための演出など、様々なパターンの演出が実行され、遊技の興趣向上が図られている。
【手続補正４】
【補正対象書類名】明細書
【補正対象項目名】０００３
【補正方法】変更
【補正の内容】
【０００３】
このようなパチンコ機等において、遊技者に遊技に関わる予告演出が実行される遊技機が提案されている。
【手続補正５】
【補正対象書類名】明細書
【補正対象項目名】０００５
【補正方法】変更
【補正の内容】
【０００５】
この種のパチンコ機等において、さらに遊技に対する興趣を向上させた遊技機が求められていた。
【手続補正６】
【補正対象書類名】明細書
【補正対象項目名】０００７
【補正方法】変更
【補正の内容】
【０００７】
この目的を達成するために請求項１記載の遊技機は、判別を実行する判別手段と、その判別手段の判別結果を示すための、少なくとも複数の図柄列からなる識別情報が表示される表示手段と、その表示手段に、前記識別情報を動的表示させる動的表示手段と、その動的表示手段により動的表示される前記識別情報を停止表示させる識別態様として、前記判別手段の判別結果が特定の判別結果である場合に特定の識別態様で停止表示させる停止表示手段と、を有し、前記動的表示手段により前記識別情報を動的表示させてから、前記停止表示手段により前記識別情報を停止表示させるまでの間に、前記複数の図柄列のうち、１つの図柄列を除く他の図柄列が前記特定の識別態様の一部を示す態様で表示されるリーチ表示態様と、そのリーチ表示態様とは異なる非リーチ表示態様との何れかを表示させる表示制御手段と、その表示制御手段により前記非リーチ表示態様が表示された場合に、一の図柄列に表示された図柄と、他の図柄列に表示された図柄とに関連する特定演出表示を表示させることが可能な演出表示手段と、その演出表示手段により表示された前記特定演出表示の内容が所定条件を満たした場合に、前記表示制御手段により前記リーチ表示態様を表示させる特典付与手段と、を有し、前記特定の識別態様には、停止表示された場合に第１特典が遊技者に付与されることを示唆する特定の第１識別態様と、前記第１特典よりも遊技者に有利となる第２特典が遊技者に付与されることを示唆する特定の第２識別態様とを含む複数の種別が設定されており、前記特定演出表示が表示される前記非リーチ表示態様として、前記一の図柄列に前記特定の第１識別態様の一部を構成する前記図柄の種別または前記特定の第２識別態様の一部を構成する前記図柄の種別を表示させることが可能に構成されており、前記特定演出表示は、前記所定条件を満たした場合に、前記一の図柄列に表示されている前記図柄に応じた前記特定の識別態様の種別に対応した前記リーチ表示態様を表示させることを示唆する演出が含まれているものであり、前記特定演出表示は、前記非リーチ表示態様が表示された後に前記表示手段に表示される表示態様が表示条件を満たした場合に前記演出表示手段により表示されるものである。
【手続補正７】
【補正対象書類名】明細書
【補正対象項目名】０００８
【補正方法】変更
【補正の内容】
【０００８】
請求項２記載の遊技機は、請求項１記載の遊技機において、前記表示手段は、液晶ディスプレイで構成されているものである。
【手続補正８】
【補正対象書類名】明細書
【補正対象項目名】００１０
【補正方法】変更
【補正の内容】
【００１０】
請求項１記載の遊技機によれば、判別を実行する判別手段と、その判別手段の判別結果を示すための、少なくとも複数の図柄列からなる識別情報が表示される表示手段と、その表示手段に、前記識別情報を動的表示させる動的表示手段と、その動的表示手段により動的表示される前記識別情報を停止表示させる識別態様として、前記判別手段の判別結果が特定の判別結果である場合に特定の識別態様で停止表示させる停止表示手段と、を有し、前記動的表示手段により前記識別情報を動的表示させてから、前記停止表示手段により前記識別情報を停止表示させるまでの間に、前記複数の図柄列のうち、１つの図柄列を除く他の図柄列が前記特定の識別態様の一部を示す態様で表示されるリーチ表示態様と、そのリーチ表示態様とは異なる非リーチ表示態様との何れかを表示させる表示制御手段と、その表示制御手段により前記非リーチ表示態様が表示された場合に、一の図柄列に表示された図柄と、他の図柄列に表示された図柄とに関連する特定演出表示を表示させることが可能な演出表示手段と、その演出表示手段により表示された前記特定演出表示の内容が所定条件を満たした場合に、前記表示制御手段により前記リーチ表示態様を表示させる特典付与手段と、を有し、前記特定の識別態様には、停止表示された場合に第１特典が遊技者に付与されることを示唆する特定の第１識別態様と、前記第１特典よりも遊技者に有利となる第２特典が遊技者に付与されることを示唆する特定の第２識別態様とを含む複数の種別が設定されており、前記特定演出表示が表示される前記非リーチ表示態様として、前記一の図柄列に前記特定の第１識別態様の一部を構成する前記図柄の種別または前記特定の第２識別態様の一部を構成する前記図柄の種別を表示させることが可能に構成されており、前記特定演出表示は、前記所定条件を満たした場合に、前記一の図柄列に表示されている前記図柄に応じた前記特定の識別態様の種別に対応した前記リーチ表示態様を表示させることを示唆する演出が含まれているものであり、前記特定演出表示は、前記非リーチ表示態様が表示された後に前記表示手段に表示される表示態様が表示条件を満たした場合に前記演出表示手段により表示されるものである。よって、遊技に対する興趣を向上させることができるという効果がある。
【手続補正９】
【補正対象書類名】明細書
【補正対象項目名】００１１
【補正方法】変更
【補正の内容】
【００１１】
請求項２記載の遊技機によれば、請求項１記載の遊技機の奏する効果に加え、前記表示手段は、液晶ディスプレイで構成されているものであるので、多様な表示態様を表示できるという効果がある。
【手続補正１０】
【補正対象書類名】明細書
【補正対象項目名】０９０７
【補正方法】変更
【補正の内容】
【０９０７】
１０                  パチンコ機（遊技機）
８１                  第３図柄表示装置（表示手段）
１１４                表示制御装置（表示制御手段の一部）
Ｓ３０６              判別手段
Ｓ２１０３            表示制御手段の一部
Ｓ２２０５            動的表示手段の一部
Ｓ２２０７            停止表示手段の一部
Ｓ２２０９            演出表示手段、特典付与手段の一部